(57)【要約】【課題】デジタル記録媒体を利用して写真店舗に正確で安全な画像注文データを送信するだけで焼き増しを実現することができる写真店舗に於ける画像データ受け渡しに関するサービスシステムを提供【解決手段】写真店舗に於ける画像データ受け渡しに関するサービスシステムであって、写真店舗が所有するサーバと、顧客が所有する顧客端末と、サーバと顧客端末を結ぶ通信ネットワークと、通信ネットワークを介して顧客端末とサーバをアクセス可能にする手段を有するデジタル記憶媒体からなり、サーバは、画像注文データ受信手段と画像処理データ送信手段と画像注文データ保存手段を有し、デジタル記憶媒体は画像データ保存手段と注文データ作成手段を有し、顧客端末はデジタル記憶媒体を読み込む読み込み手段と画像注文データ作成手段と画像注文データ送信手段を有することを特徴とする。【選択図】  図３
2004220397.tif 000002
【特許請求の範囲】
【請求項１】
写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段を有するデジタル記憶媒体からなり、
前記サーバは、前記顧客端末から送信される画像注文データを受信する画像注文データ受信手段と、受信された画像注文データを写真プリント機に送信する画像処理データ送信手段と、受信された画像注文データを所定の期間中保存する画像注文データ保存手段を有し、
前記デジタル記憶媒体は、顧客の画像データを前記デジタル記憶媒体に保存する前記画像データ保存手段と、画像注文データを作成する注文データ作成手段を有し、
前記顧客端末は、前記デジタル記憶媒体を読み込む読み込み手段と、前記注文データ作成手段を利用して画像注文データを作成する画像注文データ作成手段と、前記画像注文データをサーバへ送信する画像注文データ送信手段を有することを特徴とする写真店舗に於ける画像データ受け渡しに関するサービスシステム。
【請求項２】
写真店舗に於ける画像データ受け渡しに関するサービスシステムであって、写真店舗が所有するサーバと、顧客が所有する顧客端末と、前記サーバと前記顧客端末を結ぶ通信ネットワークとからなり、
前記サーバは、画像注文データを作成する手段をホームページ上で配布する画像注文データ配布手段と、前記顧客端末から送信される画像注文データを受信する画像注文データ受信手段と、受信された画像注文データを写真プリント機に送信する画像処理データ送信手段と、受信された画像注文データを所定の期間中保存する画像注文データ保存手段を有し、
前記顧客端末は、前記サーバにある画像注文データを作成する手段から該顧客端末に取り込む手段と、前記画像注文データ作成手段を使用し画像注文データを作成する手段と、前記画像注文データをサーバへ送信する手段を有することを特徴とする写真店舗に於ける画像データ受け渡しに関するサービスシステム。
【請求項３】
写真店舗に於ける画像データ受け渡しに関するサービスシステムであって、写真店舗が所有するサーバと、携帯端末と、前記サーバと前記携帯端末を結ぶ通信ネットワークとからなり、
前記携帯端末は、携帯端末からの画像データを送信する画像データ送信手段と、前記サーバから送信されるデータを受信する手段を有し、
前記サーバは、前記携帯端末から送信される画像データを受信する画像注文データ受信手段と、前記画像データを前記デジタル記憶媒体に保存するための装置に転送する転送手段と、受信された画像注文データを写真プリント機に送信する画像処理データ送信手段と、受信された画像注文データを所定の期間中保存する画像注文データ保存手段、
を有していることを特徴とする写真店舗に於ける画像データ受け渡しに関するサービスシステム。
【請求項４】
前記サーバは、前記顧客端末及び前記携帯端末から送信された画像注文データを返送する手段を有し、前記顧客端末及び前記携帯端末は、前記サーバからの返信された前記画像注文データを受信する手段を有する請求項１乃至３いずれかに記載の写真店舗に於ける画像データ受け渡しに関するサービスシステム。
【請求項５】
前記画像注文データは、顧客がプリントを所望する画像データ、プリントする画像の枚数及び大きさ、顧客が所望するプリント完成の日時のデータ、受け渡し方法、決済方法を含むことを特徴とする請求項１乃至４いずれかに記載の写真店舗に於ける画像データ受け渡しに関するサービスシステム。
【請求項６】
前記デジタル記憶媒体は、該デジタル記憶媒体に保存される画像を閲覧できる手段を有することを特徴とする請求項１記載の写真店舗に於ける画像データ受け渡しに関するサービスシステム。
【請求項７】
前記デジタル記憶媒体は、保存された画像データを配色変更トリミング加工等の調整することのできる画像データ調整手段を有していることを特徴とする請求項１、３、及び６記載の写真店舗に於ける画像データ受け渡しに関するサービスシステム。
【請求項８】
前記サーバは、該サーバにアクセスされた回数を顧客端末及び前記携帯端末毎にそれぞれ計算し蓄積する手段を有することを特徴とする請求項１乃至４いずれかに記載の写真店舗に於ける画像データ受け渡しに関するサービスシステム。
【発明の詳細な説明】
【０００１】
【発明の属する技術分野】
本発明は、写真店舗に於ける画像データ受け渡しに関するサービスシステムに関し、より詳しくは、大容量の通信ネットワークを利用することによって写真化される前の保存される媒体に左右されず、顧客が所望する写真の焼き増しを行う際に、顧客が焼き増しする写真のデータを収めたデジタル記録媒体を作成することでデータを写真店舗に保存させる必要が無く、更に該デジタル記録媒体を利用して写真店舗に正確で安全な画像注文データを送信するだけで素早く綺麗に画像の焼き増しを実現することができる写真店舗に於ける画像データ受け渡しに関するサービスシステムに関する。
尚、本発明で使用する「画像データ」と言う文言は、銀塩フィルムでの写真、デジタル写真やデジタル映像の静止画、文字やイラスト等の静止画像データ等を全て含む。
尚、本発明で使用する「写真プリント機」と言う文言は、ミニラボ等のような画像データをプリント出力できる装置を全て含む。
【０００２】
【従来の技術】
従来、画像（若しくは写真）をプリントしようとした場合には、画像のプリントを所望する顧客は、銀塩フィルムやデジタル記憶媒体を写真店舗の店頭まで持参し画像のプリントを依頼していた。
特に、出来上がった写真の焼き増しを行う場合には、顧客が再度店頭に銀塩フィルムやネガ等を持参し、所望する写真の焼き増しを依頼し、更に焼き増しされた写真を取りに来なければならず、写真店舗に何度も足を運ぶことになり顧客にとって煩わしい作業であった。
最近では、上記したような顧客の煩わしさを解消するために、写真店舗のサーバ等に顧客の写真情報となる銀塩フィルムやデジタル記憶媒体を保存させ、顧客の注文によってサーバ等から写真のデータを抽出し、顧客の来店までに焼き増しを行う発明が考え出された（例えば、特許文献１若しくは特許文献２参照。）
【０００３】
しかしながら、上記したような発明では、写真店舗に写真化される前のデータ（銀塩フィルムやデジタル記憶媒体等）が常時保存されることになり、写真化される前のデータの漏洩の恐れや長期間時間のたった写真化される前のデータは、写真店舗の裁量で勝手に消去されてしまう可能性があった。
特に、今日のようにハッカーによるハッキング行為による個人情報の漏洩やプライバシーの侵害、各種ウイルスによるサーバダウンなどセキュリティー面での問題やプライバシーの問題等様々な問題があった。
また、銀塩フィルムや携帯端末の画像データもそのままで保存管理されていた。
【０００４】
【特許文献１】
特開２００２−４１８８９号公報
【特許文献２】
特開２００２−１９６４３１号公報
【０００５】
【発明が解決しようとする課題】
本発明は、このような実情に鑑みてなされたもので、大容量の通信ネットワークを利用することによって写真化される前の保存される媒体に左右されず、顧客が所望する写真の焼き増しを行う際に、顧客が焼き増しする写真のデータを収めたデジタル記録媒体を作成することでデータを写真店舗に保存させる必要が無く、更に該デジタル記録媒体を利用して写真店舗に正確で安全な画像注文データを送信するだけで素早く綺麗に画像の焼き増しを実現することができる写真店舗に於ける画像データ受け渡しに関するサービスシステムを提供する。
尚、本発明で使用する「画像データ」と言う文言は、銀塩フィルムでの写真、デジタル写真やデジタル映像の静止画、文字やイラスト等の静止画像データ等を全て含む。
尚、本発明で使用する「写真プリント機」と言う文言は、ミニラボ等のような画像データをプリント出力できる装置を全て含む。
【０００６】
【課題を解決するための手段】
請求項１記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段を有するデジタル記憶媒体からなり、前記サーバは、前記顧客端末から送信される画像注文データを受信する画像注文データ受信手段と、受信された画像注文データを写真プリント機に送信する画像処理データ送信手段と、受信された画像注文データを所定の期間中保存する画像注文データ保存手段を有し、前記デジタル記憶媒体は、顧客の画像データを前記デジタル記憶媒体に保存する前記画像データ保存手段と、画像注文データを作成する注文データ作成手段を有し、前記顧客端末は、前記デジタル記憶媒体を読み込む読み込み手段と、前記注文データ作成手段を利用して画像注文データを作成する画像注文データ作成手段と、前記画像注文データをサーバへ送信する画像注文データ送信手段を有することを特徴とする写真店舗に於ける画像データ受け渡しに関するサービスシステムを提供する。
【０００７】
請求項２記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークとからなり、前記サーバは、画像注文データを作成する手段をホームページ上で配布する画像注文データ配布手段と、前記顧客端末から送信される画像注文データを受信する画像注文データ受信手段と、受信された画像注文データを写真プリント機に送信する画像処理データ送信手段と、受信された画像注文データを所定の期間中保存する画像注文データ保存手段を有し、前記顧客端末は、前記サーバにある画像注文データを作成する手段から該顧客端末に取り込む手段と、前記画像注文データ作成手段を使用し画像注文データを作成する手段と、前記画像注文データをサーバへ送信する手段を有することを特徴とする写真店舗に於ける画像データ受け渡しに関するサービスシステムを提供する。
【０００８】
請求項３記載の発明は、写真店舗に於ける画像データ受け渡しに関するサービスシステムであって、写真店舗が所有するサーバと、携帯端末と、前記サーバと前記携帯端末を結ぶ通信ネットワークとからなり、前記携帯端末は、携帯端末からの画像データを送信する画像データ送信手段と、前記サーバから送信されるデータを受信する手段を有し、前記サーバは、前記携帯端末から送信される画像データを受信する画像注文データ受信手段と、前記画像データを前記デジタル記憶媒体に保存するための装置に転送する転送手段と、受信された画像注文データを写真プリント機に送信する画像処理データ送信手段と、受信された画像注文データを所定の期間中保存する画像注文データ保存手段を有していることを特徴とする写真店舗に於ける画像データ受け渡しに関するサービスシステムを提供する。
【０００９】
請求項４記載の発明は、前記サーバは、前記顧客端末及び前記携帯端末から送信された画像注文データを返送する手段を有し、前記顧客端末及び前記携帯端末は、前記サーバからの返信された前記画像注文データを受信する手段を有する請求項１乃至３いずれかに記載の写真店舗に於ける画像データ受け渡しに関するサービスシステムを提供する。
【００１０】
請求項５記載の発明は、前記画像注文データは、顧客がプリントを所望する画像データ、プリントする画像の枚数及び大きさ、顧客が所望するプリント完成の日時のデータ、受け渡し方法、決済方法を含むことを特徴とする請求項１乃至４いずれかに記載の写真店舗に於ける画像データ受け渡しに関するサービスシステムを提供する。
【００１１】
請求項６記載の発明は、前記デジタル記憶媒体は、該デジタル記憶媒体に保存される画像データを閲覧できる手段を有することを特徴とする請求項１記載の写真店舗に於ける画像データ受け渡しに関するサービスシステムを提供する。
【００１２】
請求項７記載の発明は、前記デジタル記憶媒体は、保存された画像データを配色変更トリミング加工等の調整することのできる画像データ調整手段を有していることを特徴とする請求項１、３、及び６記載の写真店舗に於ける画像データ受け渡しに関するサービスシステムを提供する。
【００１３】
請求項８記載の発明は、前記サーバは、該サーバにアクセスされた回数を顧客端末及び前記携帯端末毎にそれぞれ計算し蓄積する手段を有することを特徴とする請求項１乃至４いずれかに記載の写真店舗に於ける画像データ受け渡しに関するサービスシステムを提供する。
これらの発明を提供することで上記課題を悉く解決する。
【００１４】
【発明の実施の形態】
本発明の実施形態を図面を参照しつつ説明する。
本発明に係る構成を説明する。
図１は、本発明に係る写真店舗に於ける画像データ受け渡しに関するサービスシステムの全体概略図である。
図２は、本発明に係る写真店舗に於ける画像データ受け渡しに関するサービスシステムに於いて携帯端末を利用した全体概略図である。
【００１５】
本発明は写真店舗に於ける画像データ受け渡しに関するサービスシステム（１００）であって、サーバ（１０）と、顧客端末（３０）と、通信ネットワーク（５０）とデジタル記憶媒体から構成される。
【００１６】
サーバ（１０）は、写真店舗が所有するデータを管理保管するサーバ（１０）であり、図１に示す如く、通信ネットワーク（５０）と常時接続されている。
このサーバ（１０）は、特に限定されないが、写真店舗の店内に設置されることが好ましく、図１では１台しか示していないが、複数台設置されてもよい。
このサーバ（１０）が有する後述する手段（機能）は、１つのサーバに集積させてもよいし、１店舗内の複数のサーバに手段（機能）を分散させてもよい。
写真店舗の店内にサーバ（１０）を設置することで顧客から直接的に顧客の写真の注文のデータをサーバ（１０）が受取り、他のサーバを経由せず中間作業等が省けるからである。
【００１７】
顧客端末（３０）は、顧客が所有するコンピュータ端末である。
この顧客端末（３０）は、通信ネットワーク（５０）と接続可能であればコンピュータの機能は問わないが、本発明の実施例を行う際に通信ネットワーク上でデータの送受信を行うため、データ送受信が快適に行われるためにも十分な通信速度を有するコンピュータ端末を使用することが好ましい。
顧客端末（３０）は、通信ネットワーク（４０）と接続可能であれば、スタンドアローン型パーソナル・コンピュータやノート型パーソナル・コンピュータ等の汎用コンピュータでもよい。
【００１８】
通信ネットワーク（５０）は、サーバ（１０）及び顧客端末（３０）を繋ぐ通信ケーブルである。
通信ネットワーク（５０）は、特に限定されないが、インターネットや一般の電話回線や光ファイバケーブル等の通信ネットワークでよいが、特に、本発明に係る発明を実施するには、写真画像データのような大容量のデータの送受信を行うため、大容量のデータ通信を可能にする通信ネットワークが好ましい。
【００１９】
前記デジタル記憶媒体は、顧客の画像データを前記デジタル記憶媒体に保存する前記画像データ保存手段と、画像注文データを作成する注文データ作成手段を有している。
前記画像データ保存手段は、顧客がプリントを依頼した画像のデータが保存されている。
デジタル記憶媒体は、写真店舗で顧客がプリントを所望したプリントされた画像を受取る際に一緒に渡される。
デジタル記憶媒体に保存しておく画像データは、顧客がプリントした画像及びおまけ画像（後述する）に固有の識別子（識別番号等）を付与することが好ましい。
識別子で識別できるようにしておくことによって、顧客が注文する時に画像を識別し易いからである。
本発明に係るデジタル記憶媒体は、特に限定されないが、フレキシブル・ディスク、ＣＤ−ＲＯＭ、ＭＯやＤＶＤ等の光学記憶媒体を含むデジタル記憶媒体が好ましい。
デジタル記憶媒体を用いることで、従来のネガを使用するよりも、更に鮮明で、画色に富んだ色彩と、半永久的な保存期間を得られると共に他のデジタル記憶媒体に複製品を製作することが容易に行えるからである。
【００２０】
デジタル記憶媒体は、通信ネットワーク（５０）を介して顧客端末（３０）とサーバ（１０）をアクセス可能にする手段を有している。
通信ネットワーク（５０）を介して顧客端末（３０）とサーバ（１０）をアクセス可能にする手段は、顧客端末（３０）にデジタル記録媒体をセットすると画像注文データ作成プログラムが起動し、注文する際に自動的に通信ネットワーク（５０）に接続されていなければ接続を行い、通信ネットワーク（５０）に接続する手段である。
画像注文データを作成する注文データ作成手段は、画像注文データを作成するための機能を有している。
画像注文データを作成する方法は、特に限定されないが、画像注文データ作成を可能にする雛型等を準備することが好ましい。
雛型等を設けることで顧客は簡単に画像注文データを作成できる。
画像注文データは、顧客がプリントを所望する画像データ、プリントする画像データの枚数及び大きさ、顧客が所望するプリント完成の日時のデータを含むことが好ましく、画像注文データ作成雛型には、顧客が所望する画像データの識別番号や画像の必要枚数、画像の大きさ等を入力して作成する。
画像注文データは、電子メール等で所望する画像データを添付し画像の必要枚数、画像の大きさを記載してサーバ（１０）に送信する方法でもよい。
顧客端末（３０）がサーバ（１０）にアクセスする際に、自動的にパスコードのような認証をデジタル記録媒体に保存しておき、デジタル記録媒体に保存されたパスコードのような認証をサーバ（１０）に送信し、アクセスが不正でないかを確認する。
デジタル記憶媒体は、特に限定されないが、自己検索機能を有することが好ましい。
自己検索機能は、デジタル記憶媒体の画像注文データ作成機能が改ざんされた場合や、価格等の変更による画像注文データが新しく更新された場合等に、顧客端末（３０）にその旨を出力し、サーバ（１０）には、その旨を送信する機能である。
この機能を有することで、サーバ（１０）に不正なアクセスを防止すると共に、顧客は現段階に於ける適切な画像注文データを作成することができる。
【００２１】
デジタル記憶媒体に保存する画像データは、顧客が所望しプリントした画像データを保存すると共に季節に合わせた画像やハガキや試作のカレンダー等で使用可能な画像をおまけデータ（画像）として保存させてもよい。
おまけ画像等をデジタル記憶媒体に保存させることで、顧客は他の画像をも楽しめることになる。
【００２２】
デジタル記憶媒体は、デジタル記憶媒体に保存される画像データを閲覧できる手段を有する。
デジタル記憶媒体に保存される画像データを閲覧できる手段は、顧客がデジタル記憶媒体に保存されている画像データを顧客端末（３０）に表示して閲覧する手段である。
顧客端末（３０）に表示閲覧することで、顧客が画像データ選択する際に目視でき画像データ選択に誤りが生じず、正確な画像データを選択できる。
顧客端末（３０）に表示させる方法は、特に限定されないが、画像データの確認ができれば十分なのでサムネイル表示のような画像データを一覧できるように小さくした見本ページとして表示することが好まれる。
【００２３】
デジタル記憶媒体は、保存された画像データの配色変更、トリミング等の調整をすることのできる写真調整手段を有することが望ましい。
保存された画像データを配色変更等の調整することのできる写真調整手段を有することで、顧客が顧客端末（３０）に表示される画像データの色彩の調整を行え、顧客が画像データを所望するように調整することができるからである。
【００２４】
画像注文データは、プリント（焼き増し）を行う画像データの識別番号、大きさ、枚数、希望する出来上がり日時、費用等の情報を記入しておく。
画像注文データには、顧客端末（３０）へサーバ（１０）からデータ等の送信を受信できるように連絡先を記載させることが好ましい。
連絡先は、特に限定されないが、サーバ（１０）から画像注文データを受信したことを返信するため、Ｅメールアドレスが好ましい。
【００２５】
デジタル記憶媒体に画像データを保存する方法は、圧縮形式方法若しくは非圧縮形式方法のどちらにも限定されない。
圧縮形式方法は、特に限定されず、顧客が写真店舗に持参した画像を、データ圧縮形式（例えば、ＪＰＥＧ２０００、ＪＰＥＧ、ＧＩＦ、ＰＣＤ、ＦＰＸなど）によって圧縮し、画像データをデジタル記憶媒体に保存させる。
【００２６】
サーバ（１０）は、画像注文データ受信手段と、処理データ送信手段と、画像注文データ保存手段を有している。
【００２７】
画像注文データ受信手段は、顧客端末（３０）から送信される画像注文データを受信する手段である。
顧客端末（３０）で作成された顧客の所望する画像注文データが、通信ネットワーク（５０）を介して顧客端末（３０）から送信され、サーバ（１０）がこの画像注文データを受信する。
【００２８】
画像処理データ送信手段は、受信された画像注文データを写真プリント機に送信する手段である。
画像注文データを写真プリント機に送信することで、写真プリント機が実際に画像注文データに沿って画像データをプリントしていく。
【００２９】
画像注文データ保存手段は、受信された画像注文データを所定の期間中保存する手段である。
画像注文データが写真プリント機に送信されると共に画像注文データは所定の期間保存される。
画像注文データが保存される期間は、写真店舗にあるサーバ（１０）が画像データを受け取った瞬間から画像注文データを送信した顧客が写真店舗でプリントされた画像を受取った際までが好ましい。
写真プリント機で画像処理される前に画像注文データを消去すると、顧客が間違って注文した場合の写真店舗の責任ではないことの証明になり、顧客が写真を受取った以降もサーバ（１０）に保存しているとサーバ（１０）に不正アクセスした者によって画像データの漏洩の可能性が極めて高くなる。
【００３０】
サーバ（１０）は、画像注文データを作成する手段をホームページ上で配布する画像注文データ配布手段を有していると共に顧客端末（３０）は、サーバ（１０）にある画像注文データ配布手段から注文データ作成する手段を顧客端末（３０）に取り込む手段を有する。
画像注文データ配布手段は、画像注文データ作成を可能にする手段（例えばソフトウエア等）をサーバ（１０）のホームページ上で配布する（ダウンロードさせる）手段と共に顧客端末（３０）がサーバ（１０）にある画像注文データ配布手段からダウンロードすることによって、画像注文データを作成できる手段を有することが好ましい。
この画像注文データ配布手段はサーバ（１０）のホームページ上で配布することが好ましいが、別のＷＥＢサーバ上で配布しても構わない。
サーバ（１０）のホームページ上で画像注文データ作成を可能にする手段をダウンロード可能にすることによって、顧客が写真店舗に出向かなくても、顧客端末（３０）での操作によって、画像注文データを作成することが可能となり、画像データを画像注文データに添付し、サーバ（１０）に送信し注文を行うことができる。
ダウンロードして画像注文データ作成を可能にする手段には、画像注文データを作成する方法とサーバ（１０）に送信しプリントしたい画像データを圧縮する方法（例えば、ファイル圧縮ソフトウエア若しくはファイル圧縮機能を具備させる）を添付しておくことが好ましい。
画像データを圧縮させる方法を添付させることで、データ送信量が少なくなり、データ送受信間に係る費用・時間が節約できるからである。
【００３１】
携帯端末（４０）は、携帯端末（４０）からの画像データを送信する画像データ送信手段と、前記サーバから送信されるデータを受信する手段を有する。
携帯端末（４０）は、携帯電話、携帯情報端末（ＰＤＡ：Ｐｅｒｓｏｎａｌ  Ｄｉｇｉｔａｌ  Ａｓｓｉｓｔａｎｔ）、モバイルパーソナルコンピュータ等更にそれらにカメラ等が付随している物で画像データを有線無線を問わず送信できる物全てを含む。
これらの携帯端末（４０）を使用してサーバ（１０）に画像データを送信する際には、Ｅ−メール等に画像データと画像の枚数やサイズを記載し画像プリントの注文を行うか、又は、予めこれら携帯端末（４０）に上述したような画像注文データ作成手段を具備させてもよい。
【００３２】
サーバ（１０）は、顧客端末（３０）及び携帯端末（４０）から送信された画像注文データを返送する手段を有し、顧客端末（３０）及び携帯端末（４０）は、サーバ（１０）からの返信された前記画像注文データを受信する手段を有する。
サーバ（１０）は、画像注文データを受信すると、この画像注文データの送信元を特定する。
画像注文データ送信元を確認すると、サーバ（１０）は画像注文データ内にある注文内容に沿ったプリントに必要な日数や費用等を記載したデータを画像注文データ送信元に返送する。
【００３３】
サーバ（１０）は、受信した画像データを上述したデジタル記憶媒体に保存するための装置に転送する転送手段を有している。
転送手段は、受信した画像データを保存した上述したデジタル記憶媒体を作成する装置に転送する機能を有している。
【００３４】
サーバ（１０）は、サーバ（１０）にアクセスされた回数を顧客端末（３０）及び携帯端末（４０）毎にそれぞれ計算し蓄積する手段を有することが好ましい。
顧客端末（３０）及び携帯端末（４０）がサーバ（１０）にアクセスされた回数をアクセス毎に計算し蓄積する手段を有することで数多く利用する顧客がわかると共に注文回数に応じたサービスを提供できるからである。
以上が本発明に係る構成である。
【００３５】
次に本発明に係る作用を図面を参照しつつ説明する。
図３は、本発明に係る写真店舗に於ける画像データ受け渡しに関するサービスシステムの一実施形態を表すフローチャートである。
顧客はプリントされていない画像をプリントするため銀塩フィルムのようなプリントされていない画像を写真店舗へ持っていく（ステップ１）。
写真店舗では、プリントされていない画像をプリントすると共にデジタル記憶媒体を作成する（ステップ２）。
顧客は、プリントされた画像とプリントされていない画像とデジタル記憶媒体を受取る（ステップ３）。
顧客が顧客端末（３０）にデジタル記憶媒体を読み込むこと（ステップ４）で、画像注文データ作成雛型が起動し、顧客はその雛型に沿ってプリントする写真をサムネイル表示を見ながら選択する。
顧客の所有するデジタル記憶媒体の自己検索機能によって、デジタル記憶媒体が改ざんされていたり更新されていない古いものであれば、顧客は、新しい画像注文データ作成手段（ソフトウェア等）をダウンロードして取得する（図示せず）。
顧客がデジタル記憶媒体に保存されている画像データの中から顧客が所望する焼き増しをしたい画像の枚数、サイズ、プリント完成（仕上がり）希望日等を記入し画像注文データをサーバ（１０）に送信する（ステップ５）。
サーバ（１０）は、顧客端末（３０）から受信した画像注文データを確認する（ステップ６）
画像注文データに誤りが無ければ、受信した旨を顧客端末（３０）へ返答する（ステップ７）。
サーバ（１０）は、顧客端末（３０）から送信された画像注文データを保存し（ステップ８）、画像注文データを写真プリント機に送信し、写真プリント機がプリントを行う（ステップ９）。
顧客は注文確認に記載されたプリント完成期日に従ってプリントされた画像を写真小売店へ受け取りに行く（ステップ１１）
顧客はプリントされた画像を受取ると共に画像注文データは消去される（ステップ１２）。
【００３６】
本発明の別の作用の一実施形態を説明する。
図４は、顧客が所有する画像データがデジタル記憶媒体に保存した画像データの場合に於ける本発明に係る写真店舗に於ける画像データ受け渡しに関するサービスシステムの一実施形態を表すフローチャートである。
顧客が、デジタル記憶媒体に保存した画像データをプリントしたいと望む（ステップ１）。
サーバ（１０）は、予め画像注文データ作成ソフトをホームページ上等に配布できるようにしておく（ステップ２）。
顧客は、サーバ（１０）にアクセスして画像注文作成データを作成するソフトウエアをダウンロードする（ステップ３）。
一度写真店舗に来たことのある顧客には前回使用した画像注文データ作成ソフトウエアを再利用すればよい（図示せず）。
顧客は、ダウンロードした画像注文データ作成ソフトウエアを利用して画像注文データを作成する（ステップ４）。
顧客は、顧客端末（３０）から画像注文データをサーバ（１０）に送信する。
サーバ（１０）は、画像注文データを確認する（ステップ５）。
サーバ（１０）は、顧客端末（３０）へ注文を受けた旨返信し（ステップ６）、画像注文データの保存を行い（ステップ７）、画像注文データを処理するために画像注文データを写真プリント機へ送信する（ステップ８）。
顧客は注文確認に記載されたプリント完成期日に従ってプリントされた画像を写真小売店へ受け取りに行く（ステップ９）。
顧客はプリントされた画像を受取る（ステップ１０）と共に画像注文データは消去される（ステップ１１）。
【００３７】
図５は、携帯端末の場合に於ける本発明に係る写真店舗に於ける画像データ受け渡しに関するサービスシステムの一実施形態を表すフローチャートである。
顧客が携帯端末（４０）から画像の枚数、サイズ、希望出来上がり日時を記載したＥ−メールに画像データを添付し、サーバ（１０）に送信する（ステップ１）。
サーバ（１０）は、Ｅ−メールを受信し、注文の内容を確認し（ステップ２）、Ｅ−メール送信元に注文を受けたことを返信する（ステップ３）。
サーバ（１０）は、Ｅ−メール確認後、注文データを保存させる（ステップ４）。
サーバ（１０）は、プリントされる画像データのデジタル記憶媒体を作成すると共に顧客の所望する画像のプリントを行う（ステップ５）。
顧客は注文確認に記載されたプリント完成期日に従ってプリントされた画像を写真小売店へ受け取りに行く（ステップ６）。
顧客がプリントされた画像を受取る（ステップ７）と共に画像注文データは消去される（ステップ８）。
以上が本発明の作用である。
【００３８】
【発明の効果】
請求項１記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段を有するデジタル記憶媒体からなり、前記サーバは、前記顧客端末から送信される画像注文データを受信する画像注文データ受信手段と、受信された画像注文データを写真プリント機に送信する画像処理データ送信手段と、受信された画像注文データを所定の期間中保存する画像注文データ保存手段を有し、前記デジタル記憶媒体は、顧客の画像データを前記デジタル記憶媒体に保存する前記画像データ保存手段と、画像注文データを作成する注文データ作成手段を有し、前記顧客端末は、前記デジタル記憶媒体を読み込む読み込み手段と、前記注文データ作成手段を利用して画像注文データを作成する画像注文データ作成手段と、前記画像注文データをサーバへ送信する画像注文データ送信手段を有することを特徴とする写真店舗に於ける画像データ受け渡しに関するサービスシステムであるから、大容量の通信ネットワークを利用することによって写真化される前の保存される媒体に左右されず、顧客が所望する写真の焼き増しを行う際に、顧客が焼き増しする写真のデータを収めたデジタル記録媒体を作成することでデータを写真店舗に保存させる必要が無く、更に該デジタル記録媒体を利用して写真店舗にデータを送信するだけで素早く綺麗に画像（若しくは画像データ）の焼き増しを実現することができる。また、画像をデジタル記憶媒体に保存しなおすことで、半永久的に保存することができると共に何時でも焼き増しをすることができる。
【００３９】
請求項２記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークとからなり、前記サーバは、画像注文データを作成する手段をホームページ上で配布する画像注文データ配布手段と、前記顧客端末から送信される画像注文データを受信する画像注文データ受信手段と、受信された画像注文データを写真プリント機に送信する画像処理データ送信手段と、受信された画像注文データを所定の期間中保存する画像注文データ保存手段を有し、前記顧客端末は、前記サーバにある画像注文データを作成する手段から該顧客端末に取り込む手段と、前記画像注文データ作成手段を使用し画像注文データを作成する手段と、前記画像注文データをサーバへ送信する手段を有することを特徴とする写真店舗に於ける画像データ受け渡しに関するサービスシステムであるから、顧客がデジタル記憶媒体に保存している画像データをプリントする場合、サーバから注文データを作成するソフトウエアをダウンロードすることで、写真店舗に出向くことなく画像データのプリントを注文することができる。
【００４０】
請求項３記載の発明は、写真店舗に於ける画像データ受け渡しに関するサービスシステムであって、写真店舗が所有するサーバと、携帯端末と、前記サーバと前記携帯端末を結ぶ通信ネットワークとからなり、前記携帯端末は、携帯端末からの画像データを送信する画像データ送信手段と、前記サーバから送信されるデータを受信する手段を有し、前記サーバは、前記携帯端末から送信される画像データを受信する画像注文データ受信手段と、前記画像データを前記デジタル記憶媒体に保存するための装置に転送する転送手段と、受信された画像注文データを写真プリント機に送信する画像処理データ送信手段と、受信された画像注文データを所定の期間中保存する画像注文データ保存手段を有していることを特徴とする写真店舗に於ける画像データ受け渡しに関するサービスシステムであるから、顧客が携帯端末からサーバに送信する画像データであっても、容易にプリントできる効果を生じる。
【００４１】
請求項４記載の発明は、前記サーバは、前記顧客端末及び前記携帯端末から送信された画像注文データを返送する手段を有し、前記顧客端末及び前記携帯端末は、前記サーバからの返信された前記画像注文データを受信する手段を有する請求項１乃至３いずれかに記載の写真店舗に於ける画像データ受け渡しに関するサービスシステムであるから、画像注文データを受取ったサーバが返送機能を有することで、注文データをサーバが受信したことを確認するとともに顧客は希望するプリント仕上がり期日が可能か否かが判る効果を生じる。
【００４２】
請求項５記載の発明は、前記画像注文データは、顧客がプリントを所望する画像データ、プリントする画像の枚数及び大きさ、顧客が所望するプリント完成の日時のデータ、受け渡し方法、決済方法を含むことを特徴とする請求項１乃至４いずれかに記載の写真店舗に於ける画像データ受け渡しに関するサービスシステムであるから、注文データを詳しくすることで一回の送受信で画像データのプリントの確認ができることを提供する。
【００４３】
請求項６記載の発明は、前記デジタル記憶媒体は、該デジタル記憶媒体に保存される画像データを閲覧できる手段を有することを特徴とする請求項１記載の写真店舗に於ける画像データ受け渡しに関するサービスシステムであるから、顧客端末で閲覧することで、顧客が間違いなく画像を注文できることを提供する。
【００４４】
請求項７記載の発明は、前記デジタル記憶媒体は、保存された画像データを配色変更トリミング加工等の調整することのできる画像データ調整手段を有していることを特徴とする請求項１、３、及び６記載の写真店舗に於ける画像データ受け渡しに関するサービスシステムであるから、画像データ調整できるソフトウエアがデジタル記憶媒体に具備されているので、顧客端末で容易に画像データの調整を可能にする。
【００４５】
請求項８記載の発明は、前記サーバは、該サーバにアクセスされた回数を顧客端末及び前記携帯端末毎にそれぞれ計算し蓄積する手段を有することを特徴とする請求項１乃至４いずれかに記載の写真店舗に於ける画像データ受け渡しに関するサービスシステムであるから、サーバにアクセスする回数がわかることで利用頻度の多い顧客には割引サービスやポイント等のサービスを行うことができる。
【図面の簡単な説明】
【図１】本発明に係る写真店舗に於ける画像データ受け渡しに関するサービスシステムの全体概略図である。
【図２】本発明に係る写真店舗に於ける画像データ受け渡しに関するサービスシステムに於いて携帯端末を利用した全体概略図である。
【図３】本発明に係る写真店舗に於ける画像データ受け渡しに関するサービスシステムの一実施形態を表すフローチャートである。
【図４】顧客が所有する画像データがデジタル記憶媒体に保存した画像データの場合に於ける本発明に係る写真店舗に於ける画像データ受け渡しに関するサービスシステムの一実施形態を表すフローチャートである。
【図５】携帯端末の場合に於ける本発明に係る写真店舗に於ける画像データ受け渡しに関するサービスシステムの一実施形態を表すフローチャートである。
【符号の説明】
１０・・・サーバ
３０・・・顧客端末
４０・・・携帯端末
５０・・・通信ネットワーク
１００・・写真店舗に於ける画像データ受け渡しに関するサービスシステム
【図１】
2004220397.tif 000003
【図２】
2004220397.tif 000004
【図３】
2004220397.tif 000005
【図４】
2004220397.tif 000006
【図５】
2004220397.tif 000007
【手続補正書】
【提出日】平成15年12月19日(2003.12.19)
【手続補正１】
【補正対象書類名】明細書
【補正対象項目名】全文
【補正方法】変更
【補正の内容】
【特許請求の範囲】
【請求項１】写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段を有するデジタル記憶媒体からなり、
前記サーバは、前記顧客端末から送信される画像注文データを受信する画像注文データ受信手段と、受信された画像注文データを写真プリント機に送信する画像処理データ送信手段と、受信された画像注文データを前記顧客がプリントされた前記画像を受取るまで保存する画像注文データ保存手段を有し、
前記デジタル記憶媒体は、顧客がプリントを依頼した画像データを前記デジタル記憶媒体に保存する画像データ保存手段と、画像注文データを作成する注文データ作成手段を有し、
前記顧客端末は、前記デジタル記憶媒体を読み込む読み込み手段と、前記注文データ作成手段を利用して画像注文データを作成する画像注文データ作成手段と、前記画像注文データをサーバへ送信する画像注文データ送信手段を有することを特徴とする写真店舗に於ける画像データ受け渡しに関するサービスシステム。
【請求項２】写真店舗に於ける画像データ受け渡しに関するサービスシステムであって、写真店舗が所有するサーバと、顧客が所有する顧客端末と、前記サーバと前記顧客端末を結ぶ通信ネットワークとからなり、
前記サーバは、画像注文データを作成する手段をホームページ上で配布する画像注文データ配布手段と、前記顧客端末から送信される画像注文データを受信する画像注文データ受信手段と、受信された画像注文データを写真プリント機に送信する画像処理データ送信手段と、受信された画像注文データを、前記顧客がプリントされた前記画像を受取るまで保存する画像注文データ保存手段を有し、
前記顧客端末は、前記サーバにある画像注文データを作成する手段から該顧客端末に取り込む手段と、前記画像注文データ作成手段を使用し画像注文データを作成する手段と、
前記画像注文データをサーバへ送信する手段と、該サーバにアクセスされた回数を顧客端末に計算し蓄積する手段を有することを特徴とする写真店舗に於ける画像データ受け渡しに関するサービスシステム。
【請求項３】写真店舗に於ける画像データ受け渡しに関するサービスシステムであって、写真店舗が所有するサーバと、携帯端末と、前記サーバと前記携帯端末を結ぶ通信ネットワークとからなり、
前記携帯端末は、携帯端末からの画像データを送信する画像データ送信手段と、前記サーバから送信されるデータを受信する手段を有し、
前記サーバは、前記携帯端末から送信される画像データを受信する画像注文データ受信手段と、前記画像データを、画像注文データを作成する注文データ作成手段を有するデジタル記憶媒体に保存するための装置に転送する転送手段と、受信された画像注文データを写真プリント機に送信する画像処理データ送信手段と、受信された画像注文データを所定の期間中保存する画像注文データ保存手段と、該サーバにアクセスされた回数を前記携帯端末毎にそれぞれ計算し蓄積する手段
を有していることを特徴とする写真店舗に於ける画像データ受け渡しに関するサービスシステム。
【請求項４】前記サーバは、前記顧客端末又は前記携帯端末から送信された画像注文データを返送する手段を有し、前記顧客端末又は前記携帯端末は、前記サーバからの返信された前記画像注文データを受信する手段を有する請求項１乃至３いずれかに記載の写真店舗に於ける画像データ受け渡しに関するサービスシステム。
【請求項５】前記画像注文データは、顧客がプリントを所望する画像データ、プリントする画像の枚数及び大きさ、顧客が所望するプリント完成の日時のデータ、受け渡し方法、決済方法を含むことを特徴とする請求項１乃至４いずれかに記載の写真店舗に於ける画像データ受け渡しに関するサービスシステム。
【請求項６】前記デジタル記憶媒体は、該デジタル記憶媒体に保存される画像を閲覧できる手段と、該デジタル記憶媒体の画像注文データ作成機能が改ざんされた場合や、価格等の変更による画像注文データが新しく更新された場合等に、前記顧客端末にその旨を出力し、前記サーバに、この旨を送信する自己検索機能を有することを特徴とする請求項１又は３に記載の写真店舗に於ける画像データ受け渡しに関するサービスシステム。
【請求項７】前記デジタル記憶媒体は、保存された画像データを配色変更トリミング加工等の調整することのできる画像データ調整手段を有していることを特徴とする請求項１、３、及び６記載の写真店舗に於ける画像データ受け渡しに関するサービスシステム。
【請求項８】前記サーバは、該サーバにアクセスされた回数を顧客端末毎にそれぞれ計算し蓄積する手段を有することを特徴とする請求項１に記載の写真店舗に於ける画像データ受け渡しに関するサービスシステム。
【発明の詳細な説明】
【０００１】
【発明の属する技術分野】
本発明は、写真店舗に於ける画像データ受け渡しに関するサービスシステムに関し、より詳しくは、大容量の通信ネットワークを利用することによって写真化される前の保存される媒体に左右されず、顧客が所望する写真の焼き増しを行う際に、顧客が焼き増しする写真のデータを収めたデジタル記録媒体を作成することでデータを写真店舗に保存させる必要が無く、更に該デジタル記録媒体を利用して写真店舗に正確で安全な画像注文データを送信するだけで素早く綺麗に画像の焼き増しを実現することができる写真店舗に於ける画像データ受け渡しに関するサービスシステムに関する。
尚、本発明で使用する「画像データ」と言う文言は、銀塩フィルムでの写真、デジタル写真やデジタル映像の静止画、文字やイラスト等の静止画像データ等を全て含む。
尚、本発明で使用する「写真プリント機」と言う文言は、ミニラボ等のような画像データをプリント出力できる装置を全て含む。
【０００２】
【従来の技術】
従来、画像（若しくは写真）をプリントしようとした場合には、画像のプリントを所望する顧客は、銀塩フィルムやデジタル記憶媒体を写真店舗の店頭まで持参し画像のプリントを依頼していた。
特に、出来上がった写真の焼き増しを行う場合には、顧客が再度店頭に銀塩フィルムやネガ等を持参し、所望する写真の焼き増しを依頼し、更に焼き増しされた写真を取りに来なければならず、写真店舗に何度も足を運ぶことになり顧客にとって煩わしい作業であった。
最近では、上記したような顧客の煩わしさを解消するために、写真店舗のサーバ等に顧客の写真情報となる銀塩フィルムやデジタル記憶媒体を保存させ、顧客の注文によってサーバ等から写真のデータを抽出し、顧客の来店までに焼き増しを行う発明が考え出された（例えば、特許文献１若しくは特許文献２参照。）
【０００３】
しかしながら、上記したような発明では、写真店舗に写真化される前のデータ（銀塩フィルムやデジタル記憶媒体等）が常時保存されることになり、写真化される前のデータの漏洩の恐れや長期間時間のたった写真化される前のデータは、写真店舗の裁量で勝手に消去されてしまう可能性があった。
特に、今日のようにハッカーによるハッキング行為による個人情報の漏洩やプライバシーの侵害、各種ウイルスによるサーバダウンなどセキュリティー面での問題やプライバシーの問題等様々な問題があった。
また、銀塩フィルムや携帯端末の画像データもそのままで保存管理されていた。
【０００４】
【特許文献１】
特開２００２−４１８８９号公報
【特許文献２】
特開２００２−１９６４３１号公報
【０００５】
【発明が解決しようとする課題】
本発明は、このような実情に鑑みてなされたもので、大容量の通信ネットワークを利用することによって写真化される前の保存される媒体に左右されず、顧客が所望する写真の焼き増しを行う際に、顧客が焼き増しする写真のデータを収めたデジタル記録媒体を作成することでデータを写真店舗に保存させる必要が無く、更に該デジタル記録媒体を利用して写真店舗に正確で安全な画像注文データを送信するだけで素早く綺麗に画像の焼き増しを実現することができる写真店舗に於ける画像データ受け渡しに関するサービスシステムを提供する。
尚、本発明で使用する「画像データ」と言う文言は、銀塩フィルムでの写真、デジタル写真やデジタル映像の静止画、文字やイラスト等の静止画像データ等を全て含む。
尚、本発明で使用する「写真プリント機」と言う文言は、ミニラボ等のような画像データをプリント出力できる装置を全て含む。
【０００６】
【課題を解決するための手段】
請求項１記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段を有するデジタル記憶媒体からなり、前記サーバは、
前記顧客端末から送信される画像注文データを受信する画像注文データ受信手段と、受信された画像注文データを写真プリント機に送信する画像処理データ送信手段と、受信された画像注文データを前記顧客がプリントされた前記画像を受取るまで保存する画像注文データ保存手段を有し、前記デジタル記憶媒体は、顧客がプリントを依頼した画像データを前記デジタル記憶媒体に保存する画像データ保存手段と、画像注文データを作成する注文データ作成手段を有し、前記顧客端末は、前記デジタル記憶媒体を読み込む読み込み手段と、前記注文データ作成手段を利用して画像注文データを作成する画像注文データ作成手段と、前記画像注文データをサーバへ送信する画像注文データ送信手段を有することを特徴とする写真店舗に於ける画像データ受け渡しに関するサービスシステムを提供する。
【０００７】
請求項２記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークとからなり、前記サーバは、画像注文データを作成する手段をホームページ上で配布する画像注文データ配布手段と、前記顧客端末から送信される画像注文データを受信する画像注文データ受信手段と、受信された画像注文データを写真プリント機に送信する画像処理データ送信手段と、受信された画像注文データを、前記顧客がプリントされた前記画像を受取るまで保存する画像注文データ保存手段を有し、
前記顧客端末は、前記サーバにある画像注文データを作成する手段から該顧客端末に取り込む手段と、前記画像注文データ作成手段を使用し画像注文データを作成する手段と、前記画像注文データをサーバへ送信する手段と、該サーバにアクセスされた回数を顧客端末に計算し蓄積する手段を有することを特徴とする写真店舗に於ける画像データ受け渡しに関するサービスシステムを提供する。
【０００８】
請求項３記載の発明は、写真店舗に於ける画像データ受け渡しに関するサービスシステムであって、写真店舗が所有するサーバと、携帯端末と、前記サーバと前記携帯端末を結ぶ通信ネットワークとからなり、前記携帯端末は、携帯端末からの画像データを送信する画像データ送信手段と、前記サーバから送信されるデータを受信する手段を有し、前記サーバは、前記携帯端末から送信される画像データを受信する画像注文データ受信手段と、
前記画像データを、画像注文データを作成する注文データ作成手段を有するデジタル記憶媒体に保存するための装置に転送する転送手段と、受信された画像注文データを写真プリント機に送信する画像処理データ送信手段と、受信された画像注文データを所定の期間中保存する画像注文データ保存手段と、該サーバにアクセスされた回数を前記携帯端末毎にそれぞれ計算し蓄積する手段を有していることを特徴とする写真店舗に於ける画像データ受け渡しに関するサービスシステムを提供する。
【０００９】
請求項４記載の発明は、前記サーバは、前記顧客端末又は前記携帯端末から送信された画像注文データを返送する手段を有し、前記顧客端末又は前記携帯端末は、前記サーバからの返信された前記画像注文データを受信する手段を有する請求項１乃至３いずれかに記載の写真店舗に於ける画像データ受け渡しに関するサービスシステムを提供する。
【００１０】
請求項５記載の発明は、前記画像注文データは、顧客がプリントを所望する画像データ、プリントする画像の枚数及び大きさ、顧客が所望するプリント完成の日時のデータ、受け渡し方法、決済方法を含むことを特徴とする請求項１乃至４いずれかに記載の写真店舗に於ける画像データ受け渡しに関するサービスシステムを提供する。
【００１１】
請求項６記載の発明は、前記デジタル記憶媒体は、該デジタル記憶媒体に保存される画像を閲覧できる手段と、該デジタル記憶媒体の画像注文データ作成機能が改ざんされた場合や、価格等の変更による画像注文データが新しく更新された場合等に、前記顧客端末にその旨を出力し、前記サーバに、この旨を送信する自己検索機能を有することを特徴とする請求項１又は３に記載の写真店舗に於ける画像データ受け渡しに関するサービスシステムを提供する。
【００１２】
請求項７記載の発明は、前記デジタル記憶媒体は、保存された画像データを配色変更トリミング加工等の調整することのできる画像データ調整手段を有していることを特徴とする請求項１、３、及び６記載の写真店舗に於ける画像データ受け渡しに関するサービスシステムを提供する。
【００１３】
請求項８記載の発明は、前記サーバは、該サーバにアクセスされた回数を顧客端末毎にそれぞれ計算し蓄積する手段を有することを特徴とする請求項１に記載の写真店舗に於ける画像データ受け渡しに関するサービスシステムを提供する。
これらの発明を提供することで上記課題を悉く解決する。
【００１４】
【発明の実施の形態】
本発明の実施形態を図面を参照しつつ説明する。
本発明に係る構成を説明する。
図１は、本発明に係る写真店舗に於ける画像データ受け渡しに関するサービスシステムの全体概略図である。
図２は、本発明に係る写真店舗に於ける画像データ受け渡しに関するサービスシステムに於いて携帯端末を利用した全体概略図である。
【００１５】
本発明は写真店舗に於ける画像データ受け渡しに関するサービスシステム（１００）であって、サーバ（１０）と、顧客端末（３０）と、通信ネットワーク（５０）とデジタル記憶媒体から構成される。【００１６】
サーバ（１０）は、写真店舗が所有するデータを管理保管するサーバ（１０）であり、
図１に示す如く、通信ネットワーク（５０）と常時接続されている。
このサーバ（１０）は、特に限定されないが、写真店舗の店内に設置されることが好ましく、図１では１台しか示していないが、複数台設置されてもよい。
このサーバ（１０）が有する後述する手段（機能）は、１つのサーバに集積させてもよいし、１店舗内の複数のサーバに手段（機能）を分散させてもよい。
写真店舗の店内にサーバ（１０）を設置することで顧客から直接的に顧客の写真の注文のデータをサーバ（１０）が受取り、他のサーバを経由せず中間作業等が省けるからである。
【００１７】
顧客端末（３０）は、顧客が所有するコンピュータ端末である。
この顧客端末（３０）は、通信ネットワーク（５０）と接続可能であればコンピュータの機能は問わないが、本発明の実施例を行う際に通信ネットワーク上でデータの送受信を行うため、データ送受信が快適に行われるためにも十分な通信速度を有するコンピュータ端末を使用することが好ましい。
顧客端末（３０）は、通信ネットワーク（４０）と接続可能であれば、スタンドアローン型パーソナル・コンピュータやノート型パーソナル・コンピュータ等の汎用コンピュータでもよい。
【００１８】
通信ネットワーク（５０）は、サーバ（１０）及び顧客端末（３０）を繋ぐ通信ケーブルである。
通信ネットワーク（５０）は、特に限定されないが、インターネットや一般の電話回線や光ファイバケーブル等の通信ネットワークでよいが、特に、本発明に係る発明を実施するには、写真画像データのような大容量のデータの送受信を行うため、大容量のデータ通信を可能にする通信ネットワークが好ましい。
【００１９】
前記デジタル記憶媒体は、顧客の画像データを前記デジタル記憶媒体に保存する前記画像データ保存手段と、画像注文データを作成する注文データ作成手段を有している。
前記画像データ保存手段は、顧客がプリントを依頼した画像のデータが保存されている。
デジタル記憶媒体は、写真店舗で顧客がプリントを所望したプリントされた画像を受取る際に一緒に渡される。
デジタル記憶媒体に保存しておく画像データは、顧客がプリントした画像及びおまけ画像（後述する）に固有の識別子（識別番号等）を付与することが好ましい。
識別子で識別できるようにしておくことによって、顧客が注文する時に画像を識別し易いからである。
本発明に係るデジタル記憶媒体は、特に限定されないが、フレキシブル・ディスク、CD−ROM、MOやDVD等の光学記憶媒体を含むデジタル記憶媒体が好ましい。
デジタル記憶媒体を用いることで、従来のネガを使用するよりも、更に鮮明で、画色に富んだ色彩と、半永久的な保存期間を得られると共に他のデジタル記憶媒体に複製品を製作することが容易に行えるからである。
【００２０】
デジタル記憶媒体は、通信ネットワーク（５０）を介して顧客端末（３０）とサーバ（１０）をアクセス可能にする手段を有している。
通信ネットワーク（５０）を介して顧客端末（３０）とサーバ（１０）をアクセス可能にする手段は、顧客端末（３０）にデジタル記録媒体をセットすると画像注文データ作成プログラムが起動し、注文する際に自動的に通信ネットワーク（５０）に接続されていなければ接続を行い、通信ネットワーク（５０）に接続する手段である。
画像注文データを作成する注文データ作成手段は、画像注文データを作成するための機能を有している。
画像注文データを作成する方法は、特に限定されないが、画像注文データ作成を可能にする雛型等を準備することが好ましい。
雛型等を設けることで顧客は簡単に画像注文データを作成できる。
画像注文データは、顧客がプリントを所望する画像データ、プリントする画像データの枚数及び大きさ、顧客が所望するプリント完成の日時のデータを含むことが好ましく、画像注文データ作成雛型には、顧客が所望する画像データの識別番号や画像の必要枚数、画像の大きさ等を入力して作成する。
画像注文データは、電子メール等で所望する画像データを添付し画像の必要枚数、画像の大きさを記載してサーバ（１０）に送信する方法でもよい。
顧客端末（３０）がサーバ（１０）にアクセスする際に、自動的にパスコードのような認証をデジタル記録媒体に保存しておき、デジタル記録媒体に保存されたパスコードのような認証をサーバ（１０）に送信し、アクセスが不正でないかを確認する。
デジタル記憶媒体は、特に限定されないが、自己検索機能を有することが好ましい。
自己検索機能は、デジタル記憶媒体の画像注文データ作成機能が改ざんされた場合や、
価格等の変更による画像注文データが新しく更新された場合等に、顧客端末（３０）にその旨を出力し、サーバ（１０）には、その旨を送信する機能である。
この機能を有することで、サーバ（１０）に不正なアクセスを防止すると共に、顧客は現段階に於ける適切な画像注文データを作成することができる。
【００２１】
デジタル記憶媒体に保存する画像データは、顧客が所望しプリントした画像データを保存すると共に季節に合わせた画像やハガキや試作のカレンダー等で使用可能な画像をおまけデータ（画像）として保存させてもよい。
おまけ画像等をデジタル記憶媒体に保存させることで、顧客は他の画像をも楽しめることになる。
【００２２】
デジタル記憶媒体は、デジタル記憶媒体に保存される画像データを閲覧できる手段を有する。
デジタル記憶媒体に保存される画像データを閲覧できる手段は、顧客がデジタル記憶媒体に保存されている画像データを顧客端末（３０）に表示して閲覧する手段である。
顧客端末（３０）に表示閲覧することで、顧客が画像データ選択する際に目視でき画像データ選択に誤りが生じず、正確な画像データを選択できる。
顧客端末（３０）に表示させる方法は、特に限定されないが、画像データの確認ができれば十分なのでサムネイル表示のような画像データを一覧できるように小さくした見本ページとして表示することが好まれる。
【００２３】
デジタル記憶媒体は、保存された画像データの配色変更、トリミング等の調整をすることのできる写真調整手段を有することが望ましい。
保存された画像データを配色変更等の調整することのできる写真調整手段を有することで、顧客が顧客端末（３０）に表示される画像データの色彩の調整を行え、顧客が画像データを所望するように調整することができるからである。
【００２４】
画像注文データは、プリント（焼き増し）を行う画像データの識別番号、大きさ、枚数、希望する出来上がり日時、費用等の情報を記入しておく。
画像注文データには、顧客端末（３０）へサーバ（１０）からデータ等の送信を受信できるように連絡先を記載させることが好ましい。
連絡先は、特に限定されないが、サーバ（１０）から画像注文データを受信したことを返信するため、Ｅメールアドレスが好ましい。
【００２５】
デジタル記憶媒体に画像データを保存する方法は、圧縮形式方法若しくは非圧縮形式方法のどちらにも限定されない。
圧縮形式方法は、特に限定されず、顧客が写真店舗に持参した画像を、データ圧縮形式（例えば、ＪＰＥＧ２０００、ＪＰＥＧ、ＧＩＦ、ＰＣＤ、ＦＰＸなど）によって圧縮し、画像データをデジタル記憶媒体に保存させる。
【００２６】
サーバ（１０）は、画像注文データ受信手段と、処理データ送信手段と、画像注文データ保存手段を有している。
【００２７】
画像注文データ受信手段は、顧客端末（３０）から送信される画像注文データを受信する手段である。
顧客端末（３０）で作成された顧客の所望する画像注文データが、通信ネットワーク（５０）を介して顧客端末（３０）から送信され、サーバ（１０）がこの画像注文データを受信する。
【００２８】
画像処理データ送信手段は、受信された画像注文データを写真プリント機に送信する手段である。
画像注文データを写真プリント機に送信することで、写真プリント機が実際に画像注文データに沿って画像データをプリントしていく。
【００２９】
画像注文データ保存手段は、受信された画像注文データを所定の期間中保存する手段である。
画像注文データが写真プリント機に送信されると共に画像注文データは所定の期間保存される。
画像注文データが保存される期間は、写真店舗にあるサーバ（１０）が画像データを受け取った瞬間から画像注文データを送信した顧客が写真店舗でプリントされた画像を受取った際までが好ましい。
写真プリント機で画像処理される前に画像注文データを消去すると、顧客が間違って注文した場合の写真店舗の責任ではないことの証明になり、顧客が写真を受取った以降もサーバ（１０）に保存しているとサーバ（１０）に不正アクセスした者によって画像データの漏洩の可能性が極めて高くなる。
【００３０】
サーバ（１０）は、画像注文データを作成する手段をホームページ上で配布する画像注文データ配布手段を有していると共に顧客端末（３０）は、サーバ（１０）にある画像注文データ配布手段から注文データ作成する手段を顧客端末（３０）に取り込む手段を有する。
画像注文データ配布手段は、画像注文データ作成を可能にする手段（例えばソフトウエア等）をサーバ（１０）のホームページ上で配布する（ダウンロードさせる）手段と共に顧客端末（３０）がサーバ（１０）にある画像注文データ配布手段からダウンロードすることによって、画像注文データを作成できる手段を有することが好ましい。
この画像注文データ配布手段はサーバ（１０）のホームページ上で配布することが好ましいが、別のＷＥＢサーバ上で配布しても構わない。
サーバ（１０）のホームページ上で画像注文データ作成を可能にする手段をダウンロード可能にすることによって、顧客が写真店舗に出向かなくても、顧客端末（３０）での操作によって、画像注文データを作成することが可能となり、画像データを画像注文データに添付し、サーバ（１０）に送信し注文を行うことができる。
ダウンロードして画像注文データ作成を可能にする手段には、画像注文データを作成する方法とサーバ（１０）に送信しプリントしたい画像データを圧縮する方法（例えば、ファイル圧縮ソフトウエア若しくはファイル圧縮機能を具備させる）を添付しておくことが好ましい。
画像データを圧縮させる方法を添付させることで、データ送信量が少なくなり、データ送受信間に係る費用・時間が節約できるからである。
【００３１】
携帯端末（４０）は、携帯端末（４０）からの画像データを送信する画像データ送信手段と、前記サーバから送信されるデータを受信する手段を有する。
携帯端末（４０）は、携帯電話、携帯情報端末（PDA：Personal Digital Assistant）、モバイルパーソナルコンピュータ等更にそれらにカメラ等が付随している物で画像データを有線無線を問わず送信できる物全てを含む。
これらの携帯端末（４０）を使用してサーバ（１０）に画像データを送信する際には、
E-メール等に画像データと画像の枚数やサイズを記載し画像プリントの注文を行うか、又は、予めこれら携帯端末（４０）に上述したような画像注文データ作成手段を具備させてもよい。
【００３２】
サーバ（１０）は、顧客端末（３０）及び携帯端末（４０）から送信された画像注文データを返送する手段を有し、顧客端末（３０）及び携帯端末（４０）は、サーバ（１０）からの返信された前記画像注文データを受信する手段を有する。
サーバ（１０）は、画像注文データを受信すると、この画像注文データの送信元を特定する。
画像注文データ送信元を確認すると、サーバ（１０）は画像注文データ内にある注文内容に沿ったプリントに必要な日数や費用等を記載したデータを画像注文データ送信元に返送する。
【００３３】
サーバ（１０）は、受信した画像データを上述したデジタル記憶媒体に保存するための装置に転送する転送手段を有している。
転送手段は、受信した画像データを保存した上述したデジタル記憶媒体を作成する装置に転送する機能を有している。
【００３４】
サーバ（１０）は、サーバ（１０）にアクセスされた回数を顧客端末（３０）及び携帯端末（４０）毎にそれぞれ計算し蓄積する手段を有することが好ましい。
顧客端末（３０）及び携帯端末（４０）がサーバ（１０）にアクセスされた回数をアクセス毎に計算し蓄積する手段を有することで数多く利用する顧客がわかると共に注文回数に応じたサービスを提供できるからである。
以上が本発明に係る構成である。
【００３５】
次に本発明に係る作用を図面を参照しつつ説明する。
図３は、本発明に係る写真店舗に於ける画像データ受け渡しに関するサービスシステムの一実施形態を表すフローチャートである。
顧客はプリントされていない画像をプリントするため銀塩フィルムのようなプリントされていない画像を写真店舗へ持っていく（ステップ１）。
写真店舗では、プリントされていない画像をプリントすると共にデジタル記憶媒体を作成する（ステップ２）。
顧客は、プリントされた画像とプリントされていない画像とデジタル記憶媒体を受取る（ステップ３）。
顧客が顧客端末（３０）にデジタル記憶媒体を読み込むこと（ステップ４）で、画像注文データ作成雛型が起動し、顧客はその雛型に沿ってプリントする写真をサムネイル表示を見ながら選択する。
顧客の所有するデジタル記憶媒体の自己検索機能によって、デジタル記憶媒体が改ざんされていたり更新されていない古いものであれば、顧客は、新しい画像注文データ作成手段（ソフトウェア等）をダウンロードして取得する（図示せず）。
顧客がデジタル記憶媒体に保存されている画像データの中から顧客が所望する焼き増しをしたい画像の枚数、サイズ、プリント完成（仕上がり）希望日等を記入し画像注文データをサーバ（１０）に送信する（ステップ５）。
サーバ（１０）は、顧客端末（３０）から受信した画像注文データを確認する（ステップ６）
画像注文データに誤りが無ければ、受信した旨を顧客端末（３０）へ返答する（ステップ７）。
サーバ（１０）は、顧客端末（３０）から送信された画像注文データを保存し（ステップ８）、画像注文データを写真プリント機に送信し、写真プリント機がプリントを行う（ステップ９）。
顧客は注文確認に記載されたプリント完成期日に従ってプリントされた画像を写真小売店へ受け取りに行く（ステップ１１）
顧客はプリントされた画像を受取ると共に画像注文データは消去される（ステップ１２）。
【００３６】
本発明の別の作用の一実施形態を説明する。
図４は、顧客が所有する画像データがデジタル記憶媒体に保存した画像データの場合に於ける本発明に係る写真店舗に於ける画像データ受け渡しに関するサービスシステムの一実施形態を表すフローチャートである。
顧客が、デジタル記憶媒体に保存した画像データをプリントしたいと望む（ステップ１）。
サーバ（１０）は、予め画像注文データ作成ソフトをホームページ上等に配布できるようにしておく（ステップ２）。
顧客は、サーバ（１０）にアクセスして画像注文作成データを作成するソフトウエアをダウンロードする（ステップ３）。
一度写真店舗に来たことのある顧客には前回使用した画像注文データ作成ソフトウエアを再利用すればよい（図示せず）。
顧客は、ダウンロードした画像注文データ作成ソフトウエアを利用して画像注文データを作成する（ステップ４）。
顧客は、顧客端末（３０）から画像注文データをサーバ（１０）に送信する。
サーバ（１０）は、画像注文データを確認する（ステップ５）。
サーバ（１０）は、顧客端末（３０）へ注文を受けた旨返信し（ステップ６）、画像注文データの保存を行い（ステップ７）、画像注文データを処理するために画像注文データを写真プリント機へ送信する（ステップ８）。
顧客は注文確認に記載されたプリント完成期日に従ってプリントされた画像を写真小売店へ受け取りに行く（ステップ９）。
顧客はプリントされた画像を受取る（ステップ１０）と共に画像注文データは消去される（ステップ１１）。
【００３７】
図５は、携帯端末の場合に於ける本発明に係る写真店舗に於ける画像データ受け渡しに関するサービスシステムの一実施形態を表すフローチャートである。
顧客が携帯端末（４０）から画像の枚数、サイズ、希望出来上がり日時を記載したE-メールに画像データを添付し、サーバ（１０）に送信する（ステップ１）。
サーバ（１０）は、E-メールを受信し、注文の内容を確認し（ステップ２）、E-メール送信元に注文を受けたことを返信する（ステップ３）。
サーバ（１０）は、E-メール確認後、注文データを保存させる（ステップ４）。
サーバ（１０）は、プリントされる画像データのデジタル記憶媒体を作成すると共に顧客の所望する画像のプリントを行う（ステップ５）。
顧客は注文確認に記載されたプリント完成期日に従ってプリントされた画像を写真小売店へ受け取りに行く（ステップ６）。
顧客がプリントされた画像を受取る（ステップ７）と共に画像注文データは消去される（ステップ８）。
以上が本発明の作用である。
【００３８】
【発明の効果】
請求項１記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段を有するデジタル記憶媒体からなり、前記サーバは、
前記顧客端末から送信される画像注文データを受信する画像注文データ受信手段と、受信された画像注文データを写真プリント機に送信する画像処理データ送信手段と、受信された画像注文データを前記顧客がプリントされた前記画像を受取るまで保存する画像注文データ保存手段を有し、前記デジタル記憶媒体は、顧客がプリントを依頼した画像データを前記デジタル記憶媒体に保存する画像データ保存手段と、画像注文データを作成する注文データ作成手段を有し、前記顧客端末は、前記デジタル記憶媒体を読み込む読み込み手段と、前記注文データ作成手段を利用して画像注文データを作成する画像注文データ作成手段と、前記画像注文データをサーバへ送信する画像注文データ送信手段を有することを特徴とする写真店舗に於ける画像データ受け渡しに関するサービスシステムであるから、大容量の通信ネットワークを利用することによって写真化される前の保存される媒体に左右されず、顧客が所望する写真の焼き増しを行う際に、顧客が焼き増しする写真のデータを収めたデジタル記録媒体を作成することでデータを写真店舗に保存させる必要が無く、更に該デジタル記録媒体を利用して写真店舗にデータを送信するだけで素早く綺麗に画像（若しくは画像データ）の焼き増しを実現することができる。
また、画像をデジタル記憶媒体に保存しなおすことで、半永久的に保存することができると共に何時でも焼き増しをすることができる。
【００３９】
請求項２記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークとからなり、前記サーバは、画像注文データを作成する手段をホームページ上で配布する画像注文データ配布手段と、前記顧客端末から送信される画像注文データを受信する画像注文データ受信手段と、受信された画像注文データを写真プリント機に送信する画像処理データ送信手段と、受信された画像注文データを、前記顧客がプリントされた前記画像を受取るまで保存する画像注文データ保存手段を有し、
前記顧客端末は、前記サーバにある画像注文データを作成する手段から該顧客端末に取り込む手段と、前記画像注文データ作成手段を使用し画像注文データを作成する手段と、前記画像注文データをサーバへ送信する手段と、該サーバにアクセスされた回数を顧客端末に計算し蓄積する手段を有することを特徴とする写真店舗に於ける画像データ受け渡しに関するサービスシステムであるから、顧客がデジタル記憶媒体に保存している画像データをプリントする場合、サーバから注文データを作成するソフトウエアをダウンロードすることで、写真店舗に出向くことなく画像データのプリントを注文することができる。又、サーバにアクセスする回数がわかることで利用頻度の多い顧客には割引サービスやポイント等のサービスを行うことができる。
【００４０】
請求項３記載の発明は、写真店舗に於ける画像データ受け渡しに関するサービスシステムであって、写真店舗が所有するサーバと、携帯端末と、前記サーバと前記携帯端末を結ぶ通信ネットワークとからなり、前記携帯端末は、携帯端末からの画像データを送信する画像データ送信手段と、前記サーバから送信されるデータを受信する手段を有し、前記サーバは、前記携帯端末から送信される画像データを受信する画像注文データ受信手段と、
前記画像データを、画像注文データを作成する注文データ作成手段を有するデジタル記憶媒体に保存するための装置に転送する転送手段と、受信された画像注文データを写真プリント機に送信する画像処理データ送信手段と、受信された画像注文データを所定の期間中保存する画像注文データ保存手段と、該サーバにアクセスされた回数を前記携帯端末毎にそれぞれ計算し蓄積する手段を有していることを特徴とする写真店舗に於ける画像データ受け渡しに関するサービスシステムであるから、顧客が携帯端末からサーバに送信する画像データであっても、容易にプリントできる効果を生じる。又、サーバにアクセスする回数がわかることで利用頻度の多い顧客には割引サービスやポイント等のサービスを行うことができる。
【００４１】
請求項４記載の発明は、前記サーバは、前記顧客端末又は前記携帯端末から送信された画像注文データを返送する手段を有し、前記顧客端末又は前記携帯端末は、前記サーバからの返信された前記画像注文データを受信する手段を有する請求項１乃至３いずれかに記載の写真店舗に於ける画像データ受け渡しに関するサービスシステムであるから、画像注文データを受取ったサーバが返送機能を有することで、注文データをサーバが受信したことを確認するとともに顧客は希望するプリント仕上がり期日が可能か否かが判る効果を生じる。
【００４２】
請求項５記載の発明は、前記画像注文データは、顧客がプリントを所望する画像データ、プリントする画像の枚数及び大きさ、顧客が所望するプリント完成の日時のデータ、受け渡し方法、決済方法を含むことを特徴とする請求項１乃至４いずれかに記載の写真店舗に於ける画像データ受け渡しに関するサービスシステムであるから、注文データを詳しくすることで一回の送受信で画像データのプリントの確認ができることを提供する。
【００４３】
請求項６記載の発明は、前記デジタル記憶媒体は、該デジタル記憶媒体に保存される画像を閲覧できる手段と、該デジタル記憶媒体の画像注文データ作成機能が改ざんされた場合や、価格等の変更による画像注文データが新しく更新された場合等に、前記顧客端末にその旨を出力し、前記サーバに、この旨を送信する自己検索機能を有することを特徴とする請求項１又は３に記載の写真店舗に於ける画像データ受け渡しに関するサービスシステムであるから、顧客端末で閲覧することができるとともに、この機能を有することで、サーバに不正なアクセスを防止すると共に、顧客は現段階に於ける適切な画像注文データを作成することができ、顧客が間違いなく画像を注文できることを提供する。
【００４４】
請求項７記載の発明は、前記デジタル記憶媒体は、保存された画像データを配色変更トリミング加工等の調整することのできる画像データ調整手段を有していることを特徴とする請求項１、３、及び６記載の写真店舗に於ける画像データ受け渡しに関するサービスシステムであるから、画像データ調整できるソフトウエアがデジタル記憶媒体に具備されているので、顧客端末で容易に画像データの調整を可能にする。
【００４５】
請求項８記載の発明は、前記サーバは、該サーバにアクセスされた回数を顧客端末毎にそれぞれ計算し蓄積する手段を有することを特徴とする請求項１に記載の写真店舗に於ける画像データ受け渡しに関するサービスシステムであるから、サーバにアクセスする回数がわかることで利用頻度の多い顧客には割引サービスやポイント等のサービスを行うことができる。
【図面の簡単な説明】
【図１】本発明に係る写真店舗に於ける画像データ受け渡しに関するサービスシステムの全体概略図である。
【図２】本発明に係る写真店舗に於ける画像データ受け渡しに関するサービスシステムに於いて携帯端末を利用した全体概略図である。
【図３】本発明に係る写真店舗に於ける画像データ受け渡しに関するサービスシステムの一実施形態を表すフローチャートである。
【図４】顧客が所有する画像データがデジタル記憶媒体に保存した画像データの場合に於ける本発明に係る写真店舗に於ける画像データ受け渡しに関するサービスシステムの一実施形態を表すフローチャートである。
【図５】携帯端末の場合に於ける本発明に係る写真店舗に於ける画像データ受け渡しに関するサービスシステムの一実施形態を表すフローチャートである。
【符号の説明】
１０・・・サーバ
３０・・・顧客端末
４０・・・携帯端末
５０・・・通信ネットワーク
１００・・写真店舗に於ける画像データ受け渡しに関するサービスシステム